(57)【要約】【課題】通信が途絶えても精度よく時間を計時することができるタイマー装置を提供する。【解決手段】タイマー装置は、発振器４４のパルスに従って特定される第１時刻を特定する第１時刻情報、および、発振器４４のパルスに従って特定される第２時刻を特定する第２時刻情報を受信する受信部３１と、発振器４４よりも低い精度を有するゼロクロス検出部５１から出力されるパルスに従って時間を計時する計時部４８と、計時部４８の出力、第１時刻情報および第２時刻情報を受信し、第１時刻および第２時刻の間に計時部４８で計時される時間の誤差を特定し、第１時刻および第２時刻の時間差と誤差との相対関係を設定する制御部４７と、特定された相対関係を記憶する記憶部５２とを備える。【選択図】図４
2016183872.tif 000002
【特許請求の範囲】
【請求項１】
発振器のパルスに従って特定される第１時刻を特定する第１時刻情報、および、前記発振器のパルスに従って特定される第２時刻を送信する送信部と、前記第１時刻情報および前記第２時刻情報を順次受信する受信部と、交流電源を基に生成されるパルスに従い、前記第１時刻の受信時から計時を開始する計時部と、
前記第１時刻情報および前記第２時刻情報を受信し、前記計時部から出力される時間と、前記第１時刻と前記第２時刻との時間差との比を算出する制御部とを備え、
前記制御部は、算出された前記時間差の比に基づき、前記計時部の時刻を補正することを特徴とするタイマー装置。
【請求項２】
発振器のパルスに従って特定される第１時刻を特定する第１時刻情報を受信する工程と、
前記第１時刻情報を受信すると、交流電源を基に生成されるパルスに従って時間の計時を開始する工程と、
前記発振器のパルスに従って特定される第２時刻を特定する第２時刻情報を受信する工程と、
前記第２時刻情報を受信すると、前記計時された時間と、前記第１時刻および前記第２時刻との時間差との比を算出し記憶する工程と、記憶された比を用いて、前記計時される時刻を補正する工程と
を備えることを特徴とするタイマーの計時方法。
【発明の詳細な説明】
【技術分野】
【０００１】
本発明は、タイマー装置、および、タイマーの計時方法に関する。
【背景技術】
【０００２】
特許文献１に開示されるように、タイマー装置は一般に知られる。タイマー装置は発振器のパルスに基づき時間を計時する。商用電源から供給される交流電圧からパルスは生成される。
【先行技術文献】
【特許文献】
【０００３】
【特許文献１】特開２００２−３１８６４５号公報
【発明の概要】
【発明が解決しようとする課題】
【０００４】
商用電源とは異なり自家発電などの電源は、交流電圧の周波数が安定せず、この交流電圧から生成されたパルスに基づき計時が行われるタイマー装置は大きな誤差が生じやすい。
【０００５】
本発明のいくつかの態様によれば、自家発電などの交流電圧の周波数が安定しない電源基準とした場合でも精度よく時間を計時することができるタイマー装置は提供されることができる。
【課題を解決するための手段】
【０００６】
本発明の一態様は、発振器のパルスに従って特定される第１時刻を特定する第１時刻情報、および、前記発振器のパルスに従って特定される第２時刻を特定する第２時刻情報を送信する送信部と、前記第１時刻情報および前記第２時刻情報を順次受信する受信部と、交流電源を基に生成されるパルスに従い、前記第１時刻の受信時から計時を開始する計時部と、前記計時部から出力される時間と、前記第１時刻と前記第２時刻との時間差との比を算出する制御部とを備え、前記制御部は、算出された前記時間差の比に基づき、前記計時部の時刻を補正するタイマー装置に関する。
【０００７】
交流電源を基に生成されるパルスに比べて高い精度を有する発振器のパルスに従って第１時刻および第２時刻は特定される。また交流電源を基に生成されるパルスに基づき第１時刻の受信時から計時部は時間を計時し時間を出力する。交流電源を基に生成されるパルスの精度は発振器のそれよりも低いことから、計時部から出力された時間は第１時刻および第２時刻の時間差からずれる。制御部は計時部から出力された時間と、第１時刻と第２時刻との時間差の比を算出し、この比を基に計時部の計時は補正される。その結果、計時時間の精度は高められる。
【０００８】
本発明の他の態様は、発振器のパルスに従って特定される第１時刻を特定する第１時刻情報を受信する工程と、前記第１時刻情報を受信すると、交流電源を基に生成されるパルスに従って時間の計時を開始する工程と、前記発振器のパルスに従って特定される第２時刻を特定する第２時刻情報を受信する工程と、前記第２時刻情報を受信すると、前記計時された時間と、前記第１時刻および前記第２時刻との時間差との比を算出し記憶する工程と、記憶された比を用いて、前記計時される時間を補正する工程とを備えるタイマーの計時方法に関する。
【発明の効果】
【０００９】
以上のように開示の装置および方法によれば、自家発電などの交流電源を基に生成されるパルス信号を基準としたタイマー装置でも精度よく時間は計時されることができる。
【図面の簡単な説明】
【００１０】
【図１】本発明の一実施形態に係る空気調和機の構成を概略的に示す概念図である。
【図２】一実施形態に係る室内機の外観を概略的に示す斜視図である。
【図３】一実施形態に係るワイヤレスリモコンの外観を概略的に示す拡大平面図である。
【図４】空気調和機およびワイヤレスリモコンの回路構成を概略的に示すブロック図である。
【図５】制御回路の処理動作を概略的に示すフローチャートである。
【図６】制御回路のカウント値決定部の処理動作を概略的に示すフローチャートである。
【発明を実施するための形態】
【００１１】
以下、添付図面を参照しつつ本発明の一実施形態を説明する。
【００１２】
（１）空気調和機の構成
図１は本発明の一実施形態に係る空気調和機１１の構成を概略的に示す。空気調和機１１は室内機１２および室外機１３を備える。室内機１２は例えば建物内の室内空間に設置される。その他、室内機１２は室内空間に相当する空間に設置されればよい。室内機１２には室内熱交換器１４が組み込まれる。室外機１３には圧縮機１５、室外熱交換器１６、膨張弁１７および四方弁１８が組み込まれる。室内熱交換器１４、圧縮機１５、室外熱交換器１６、膨張弁１７および四方弁１８は冷凍回路１９を形成する。
【００１３】
冷凍回路１９は第１循環経路２１を備える。第１循環経路２１は四方弁１８の第１口１８ａおよび第２口１８ｂを相互に結ぶ。第１循環経路２１には、圧縮機１５が設けられている。圧縮機１５の吸入管１５ａは四方弁１８の第１口１８ａに冷媒配管を介して接続される。第１口１８ａからガス冷媒は圧縮機１５の吸入管１５ａに供給される。圧縮機１５は低圧のガス冷媒を所定の圧力まで圧縮する。圧縮機１５の吐出管１５ｂは四方弁１８の第２口１８ｂに冷媒配管を介して接続される。圧縮機１５の吐出管１５ｂからガス冷媒は四方弁１８の第２口１８ｂに供給される。冷媒配管は例えば銅管であればよい。
【００１４】
冷凍回路１９は第２循環経路２２をさらに備える。第２循環経路２２は四方弁１８の第３口１８ｃおよび第４口１８ｄを相互に結ぶ。第２循環経路２２には、第３口１８ｃ側から順番に室外熱交換器１６、膨張弁１７および室内熱交換器１４が組み込まれる。室外熱交換器１６は、通過する冷媒と周囲の空気との間で熱エネルギの交換をする。室内熱交換器１４は、通過する冷媒と周囲の空気との間で熱エネルギの交換をする。第２循環経路２２は例えば銅管などの冷媒配管で形成されればよい。
【００１５】
室外機１３には送風ファン２３が組み込まれる。送風ファン２３は室外熱交換器１６に通風する。送風ファン２３は例えば羽根車の回転に応じて気流を生成する。気流は室外熱交換器１６を通り抜ける。通り抜ける気流の流量は羽根車の回転数に応じて調整される。
【００１６】
室内機１２には送風ファン２４が組み込まれる。送風ファン２４は室内熱交換器１４に通風する。送風ファン２４は羽根車の回転に応じて気流を生成する。送風ファン２４の働きで室内機１２には室内空気が吸い込まれる。室内空気は室内熱交換器１４を通り抜け冷媒と熱交換する。熱交換された冷気または暖気の気流は室内機１２から吹き出される。通り抜ける気流の流量は羽根車の回転数に応じて調整される。
【００１７】
冷凍回路１９で冷房運転が実施される場合には、四方弁１８は第２口１８ｂおよび第３口１８ｃを相互に接続し第１口１８ａおよび第４口１８ｄを相互に接続する。したがって、圧縮機１５の吐出管１５ｂから高温高圧の冷媒が室外熱交換器１６に供給される。冷媒は室外熱交換器１６、膨張弁１７および室内熱交換器１４を順番に流通する。室外熱交換器１６では冷媒から外気に放熱する。膨張弁１７で冷媒は低圧まで減圧される。減圧された冷媒は室内熱交換器１４で周囲の空気から吸熱する。冷気が生成される。冷気は送風ファン２４の働きで室内空間に吹き出される。
【００１８】
冷凍回路１９で暖房運転が実施される場合には、四方弁１８は第２口１８ｂおよび第４口１８ｄを相互に接続し第１口１８ａおよび第３口１８ｃを相互に接続する。圧縮機１５から高温高圧の冷媒が室内熱交換器１４に供給される。冷媒は室内熱交換器１４、膨張弁１７および室外熱交換器１６を順番に流通する。室内熱交換器１４では冷媒から周囲の空気に放熱する。暖気が生成される。暖気は送風ファン２４の働きで室内空間に吹き出される。膨張弁１７で冷媒は低圧まで減圧される。減圧された冷媒は室外熱交換器１６で周囲の空気から吸熱する。その後、冷媒は圧縮機１５に戻る。
【００１９】
（２）室内機の構成
図２は一実施形態に係る室内機１２の外観を概略的に示す。室内機１２は本体２６を備える。本体２６の正面にアウターパネル２７が覆い被さる。本体２６の下面には吹出口２８が形成される。吹出口２８は室内に向けて開口される。本体２６は例えば室内の壁面に固定されることができる。吹出口２８は、室内熱交換器１４で生成される冷気または暖気の気流を吹き出す。
【００２０】
吹出口２８には風向板２９が配置される。風向板２９は水平軸線回りに回転することができる。回転に応じて風向板２９は吹出口２８を開閉することができる。風向板２９の角度に応じて、吹き出される気流の方向は変えられる。
【００２１】
本体２６の正面には受信モジュール３１が埋め込まれる。受信モジュール３１は赤外線を受信する。受信された赤外線信号は受信モジュール３１で電気信号に変換される。
【００２２】
図３はワイヤレスリモコン（以下、単に「リモコン」という。「送信部」に同じ）３３の外観を概略的に示す。リモコン３３はリモコン本体３４を備える。リモコン本体３４の表面には操作ユニット３５が埋め込まれる。操作ユニット３５は操作ボタン群を備える。操作ボタン群は例えば「冷房」ボタン３５ａ、「暖房」ボタン３５ｂ、「除湿」ボタン３５ｃ、「送風」ボタン３５ｄ、「停止」ボタン３５ｅ、「温度設定」ボタン３５ｆ、「タイマー設定」ボタン３５ｇ、「タイマー取消」ボタン３５ｈ等を含む。個々の操作ボタンごとに所定の動作は割り当てられる。
【００２３】
リモコン本体３４の表面にはディスプレイパネル３６が埋め込まれる。ディスプレイパネル３６の画面には決められた数字や文字等が表示される。数字や文字等は、「冷房」や「暖房」といった動作表示３７ａ、設定温度表示３７ｂおよび時刻表示３７ｃを含む。
【００２４】
リモコン本体３４の先端には送信モジュール３８が埋め込まれる。送信モジュール３８は決められた指向性で赤外線を送信する。電気信号は送信モジュール３８で赤外線信号に変換される。こうした赤外線の送信にあたって例えば赤外線ＬＥＤ（発光ダイオード）が利用されればよい。後述されるように、送信モジュール３８は室内機１２に組み込まれる受信モジュール３１と対に利用される。
【００２５】
（３）空気調和機およびリモコンの回路構成
図４に示されるように、リモコン３３は信号生成部４１を備える。信号生成部４１は送信モジュール３８に接続される。信号生成部４１は動作信号および時刻信号に基づき指示信号を生成する。動作信号とは「冷房」「暖房」「除湿」「送風」「停止」「温度設定」「タイマー設定」「タイマー取消」といった空気調和機１１への動作指示を行う信号である。時刻信号とはリモコン３３の時刻管理部４３で生成される時刻情報である。指示信号はリモコン３３の送信モジュール３８から出力される。送信モジュール３８の赤外線ＬＥＤは動作ごとに決められた規則に従って点滅する。こうして赤外線信号は形成される。
【００２６】
リモコン３３は動作制御部４２を備える。動作制御部４２は信号生成部４１に接続される。動作制御部４２は操作ユニット３５から出力される信号に応じて動作信号を生成する。例えば、動作制御部４２は、「冷房」ボタン３５ａの出力信号の受信に基づき「冷房」の動作信号を生成し、「暖房」ボタン３５ｂの出力信号の受信に基づき「暖房」の動作信号を生成する。「温度設定」ボタン３５ｆが操作されると、動作信号は指定された温度を特定する。「タイマー設定」ボタン３５ｇが操作されると、動作信号は指定された時刻までの残り時間を特定する。動作信号は信号生成部４１に送られる。
【００２７】
リモコン３３は時刻管理部４３を備える。時刻管理部４３は信号生成部４１に接続される。時刻管理部４３には発振器４４が接続される。発振器４４は内蔵された水晶発振子に基づき第１パルスを生成する。生成された第１パルスに基づき時刻管理部４３は時刻信号を生成する。すなわち、発振器４４は時刻表示用の第１パルス信号を出力する。時刻信号では例えば秒単位で時刻が特定される。時刻信号は信号生成部４１に送られる。
【００２８】
リモコン３３は表示制御部４５を備える。表示制御部４５は動作制御部４２および時刻管理部４３に接続される。表示制御部４５は動作信号および時刻信号に基づき表示信号を生成する。表示信号は動作表示３７ａ、設定温度表示３７ｂおよび時刻表示３７ｃを特定する。こうした表示信号がディスプレイパネル３６に送られると、ディスプレイパネル３６の画面に動作表示３７ａ、設定温度表示３７ｂおよび時刻表示３７ｃは表示される。こうしてディスプレイパネル３６は発振器４４が出力するパルスに基づき特定される時刻を表示する。
【００２９】
空気調和機１１は制御回路４７を備える。制御回路４７は例えば室内機１２の本体２６に組み込まれる。制御回路４７は例えばマイコンで構成される。制御回路４７には受信モジュール３１が接続される。受信モジュール３１から出力される電気信号は制御回路４７に送られる。
【００３０】
制御回路４７には室外機１３に組み込まれる圧縮機１５、膨張弁１７、四方弁１８および送風ファン２３が接続される。制御回路４７は圧縮機１５、膨張弁１７、四方弁１８および送風ファン２３に向けて制御信号を出力する。圧縮機１５、膨張弁１７、四方弁１８および送風ファン２３は制御回路４７の制御信号に応じて動作する。こうして制御回路４７は圧縮機１５、膨張弁１７、四方弁１８および送風ファン２３の動作を制御する。
【００３１】
制御回路４７には室内機１２に組み込まれる送風ファン２４および風向板２９の駆動モータ２９ａが接続される。制御回路４７は送風ファン２４および駆動モータ２９ａに向けて制御信号を出力する。送風ファン２４および駆動モータ２９ａは制御回路４７の制御信号に応じて動作する。こうして制御回路４７は送風ファン２４および風向板２９の動作を制御する。
【００３２】
制御回路４７には計時部４８が接続される。計時部４８はパルスカウンタ４９を備える。パルスカウンタ４９はパルスをカウントする。パルスカウンタ４９はリセット信号が入力されるとパルスのカウント値を出力し再びゼロからカウントを開始する。パルスカウンタ４９にプリセット値が設定されると、パルスカウンタ４９は、パルスのカウント値Ｐｘがプリセット値に達した時点でカウントアップ信号を出力する。
【００３３】
パルスカウンタ４９にはゼロクロス検出部５１が接続される。ゼロクロス検出部５１は交流電源の交流電圧のゼロクロス点を検出し、ゼロクロス点を検出したタイミングで第２パルスを生成する。自家発電等の交流電源の周波数は５０Ｈｚあるいは６０Ｈｚから例えば１％程度変動する。よって交流電源から生成される第２パルスによって計時される時間も１％の誤差をもつ。一方、発振器４４の発振周波数の変動は５０ｐｐｍ程度であり、生成される第１パルスによって計時される時間は同じく５０ｐｐｍの誤差となる。したがってゼロクロス検出部５１の精度は発振器４４の精度よりも低い。生成されたパルスはパルスカウンタ４９に送られる。パルスカウンタ４９はゼロクロス検出部５１のパルスをカウントする。こうして計時部４８はゼロクロス検出部５１から出力されるパルスに従って時間を計時し時刻を出力する。なお、第２パルスの発生にはゼロクロス検出部５１を用いる代わりに安価なセラミック発振子を用いてもよい。
【００３４】
制御回路４７には記憶装置５２が接続される。記憶装置５２には例えば第１時刻情報域５２ａ、第２時刻情報域５２ｂおよび誤差記憶域５２ｃが区画される。第１時刻情報域５２ａには、発振器４４のパルスに従って特定される第１時刻Ｔ１を特定する第１時刻情報が記憶される。第２時刻情報域５２ｂには、発振器４４のパルスに従って特定される第２時刻Ｔ２を特定する第２時刻情報が記憶される。この誤差記憶域５２ｃには、第１時刻Ｔ１の受信時から計時を開始する計時部４８の出力する時間と、第１時刻Ｔ１および第２時刻Ｔ２の時間差との比が補正値として記憶される。誤差は、第１時刻Ｔ１および第２時刻Ｔ２の時間差と、第２時刻Ｔ２を受信したときの計時部４８が出力する時間とのずれを表す。ここでは、補正値は第１時刻Ｔ１および第２時刻Ｔ２の時間差に対する誤差の比率で表現される。記憶装置５２にはメモリその他の記憶媒体が用いられればよい。
【００３５】
制御回路４７は受信処理部５４を備える。受信処理部５４はリモコン３３から出力された赤外線信号から変換される電気信号を解読する。受信処理部５４は電気信号から指示信号を読み取る。受信処理部５４は動作指示および時刻情報を生成する。動作指示は、指示信号で指定された空気調和機１１の動作を特定する。時刻情報は指示信号に組み込まれた時刻を特定する。第１時刻Ｔ１は例えばリモコン３３から空気調和機１１へ送信される一定時間後運転を停止する「タイマー設定」の動作指示と共に送信され、受信処理部５４で受信される。第２時刻Ｔ２は第１時刻Ｔ１の送信後の例えば温度調整の動作指示と共に送信され、受信処理部５４で受信される。
【００３６】
制御回路４７は動作制御部５５を備える。動作制御部５５は受信処理部５４に接続される。動作制御部５５には動作指示が供給される。動作指示に応じて制御信号が生成される。こうして生成された制御信号が室外機１３の圧縮機１５、膨張弁１７、四方弁１８、送風ファン２３及び室内機１２の送風ファン２４、駆動モータ２９ａに供給される。
【００３７】
制御回路４７はカウント値決定部５６を備える。カウント値決定部５６は動作制御部５５に接続される。カウント値決定部５６は、「タイマー設定」ボタン３５ｇに割り当てられた指示信号を受信すると、指示信号に組み込まれた時刻から時間のカウント値Ｃａを決定する。決定にあたって、カウント値決定部５６は、時間のカウント値Ｃａを補正したカウント値Ｃｂを決定する。補正値は記憶装置５２から取得される。
【００３８】
制御回路４７は誤差算出部５７を備える。誤差算出部５７は受信処理部５４に接続される。誤差算出部５７には受信処理部５４から時刻情報が送られる。誤差算出部５７は時刻情報で特定される時刻を記憶装置５２に記憶する。記憶装置５２の第１時刻情報域５２ａに第１時刻情報が存在しない場合には、誤差算出部５７は第１時刻情報域５２ａに第１時刻Ｔ１として時刻を記憶する。記憶と同時に、誤差算出部５７はパルスカウンタ４９にリセット信号を供給する。記憶装置５２の第１時刻情報域５２ａに第１時刻情報が存在する場合には、誤差算出部５７は第２時刻情報域５２ｂに第２時刻Ｔ２として時刻を記憶する。記憶と同時に誤差算出部５７は計時部４８から出力される時間であるパルスのカウント値Ｐｘを取得しパルスカウンタ４９にリセット信号を供給する。誤差算出部５７は、取得した計時部４８からの時間Ｐｘと、第１時刻Ｔ１および第２時刻Ｔ２の時間差に基づき補正を行う。具体的には以下式によって計時部４８の補正を行う。
式１）Ｃｂ＝Ｃａ×（Ｐｘ／（Ｔ２−Ｔ１））
【００３９】
（４）空気調和機の動作
冷房運転時には圧縮された冷媒が圧縮機１５から室外熱交換器１６に送られる。室外熱交換器１６では気流と冷媒との間で熱交換が実施される。冷媒から気流に熱エネルギが放出される。冷媒は膨張弁１７で減圧される。室内熱交換器１４では冷媒は気流から熱エネルギを奪って蒸発する。気流は冷却される。冷却された空気が室内機１２の吹出口２８から吹き出す。
【００４０】
暖房運転時には圧縮された冷媒は圧縮機１５から室内熱交換器１４に送られる。室内熱交換器１４では気流と冷媒との間で熱交換が実施される。冷媒から気流に熱エネルギが放出される。暖められた気流は室内機１２の吹出口２８から吹き出される。こうして冷気や暖気は生成される。
【００４１】
空気調和機１１の動作の選択や調整にあたってユーザはリモコン３３を操作する。リモコン３３のディスプレイパネル３６には時刻表示３７ｃが表示される。時刻表示３７ｃの実現にあたって表示制御部４５で表示信号が生成される。表示制御部４５には時刻管理部４３から時刻信号が供給される。リモコン３３の操作にあたってユーザは送信モジュール３８の赤外線ＬＥＤを室内機１２の受信モジュール３１に向ける。送信モジュール３８の赤外線は受信モジュール３１の受光範囲に収まる。
【００４２】
「冷房」ボタン３５ａや「暖房」ボタン３５ｂ、「除湿」ボタン３５ｃ、「送風」ボタン３５ｄ、「停止」ボタン３５ｅ、「温度設定」ボタン３５ｆが操作されると、動作制御部４２は操作ユニット３５の出力信号に基づき動作信号を生成する。動作信号は信号生成部４１および表示制御部４５に送られる。信号生成部４１では動作信号に基づき指示信号が生成される。信号生成部４１では動作信号の種類に応じて「冷房」「暖房」「除湿」「送風」「停止」「設定温度」が特定される。指示信号には時刻信号に基づき現在時刻（ボタンが押下された時刻）が組み込まれる。指示信号は送信モジュール３８に送られる。送信モジュール３８から赤外線信号は発せられる。表示制御部４５では動作信号の種類に応じて表示信号が生成される。リモコン３３のディスプレイパネル３６には動作表示３７ａや設定温度表示３７ｂが表示される。
【００４３】
「タイマー設定」ボタン３５ｇが操作されると、動作制御部４２は「タイマー設定」ボタン３５ｇの出力信号に基づき動作信号を生成する。動作信号には指定された時刻が組み込まれる。動作信号は信号生成部４１に送られる。信号生成部４１では「タイマー設定」ボタン３５ｇに割り当てられた動作信号と現在時刻とからなる指示信号が生成される。指示信号は送信モジュール３８に送られる。送信モジュール３８から赤外線信号は発せられる。
【００４４】
赤外線信号は室内機１２の受信モジュール３１で受信される。制御回路４７の受信処理部５４は受信した赤外線信号から動作指示および時刻情報を生成する。動作指示は動作制御部５５に送られる。動作制御部５５は動作指示に応じて制御信号を生成する。制御信号の出力に応じて「冷房」「暖房」「除湿」「送風」「停止」「温度設定」といった動作は実現される。
【００４５】
制御回路４７によるリモコン３３から指示信号を受信する毎に補正値を算出する処理のフローについて説明する。図５に示されるように、ステップＳ１で指示信号の受信が確認されると、ステップＳ２で誤差算出部５７は記憶装置５２の第１時刻情報域５２ａを確認する。第１時刻情報域５２ａに第１時刻情報が存在しない場合には、誤差算出部５７はステップＳ３で第１時刻情報域５２ａに第１時刻Ｔ１として時刻を記憶する。ステップＳ８で誤差算出部５７はパルスカウンタ４９にリセット信号を送り、パルスカウンタ４９はパルスのカウントを開始する。計時部４８で計時が開始される。
【００４６】
ステップＳ２で第１時刻情報域５２ａに第１時刻情報の存在が確認されると、誤差算出部５７はステップＳ４で第２時刻情報域５２ｂに第２時刻Ｔ２として時刻を記憶する。続いてステップＳ５で計時部４８から時間のカウント値Ｐｘを取得する。取得された時間のカウント値Ｐｘは記憶装置５２に記憶されてもよい。ステップＳ６で誤差算出部５７は取得したカウント値Ｐｘ並びに第１時刻Ｔ１および第２時刻Ｔ２に基づき補正値を算出する。補正値の算出にあたって誤差算出部５７は第１時刻Ｔ１および第２時刻Ｔ２の時間差を算出する。続いて誤差算出部５７は、第１時刻Ｔ１から第２時刻Ｔ２まで計時部４８でカウントされた時間のカウント値Ｐｘと、時間差との差分を算出する。時間差に対して差分の比率が算出される。こうして算出された誤差比率は記憶装置５２の誤差記憶域５２ｃに補正値として記憶される。ステップＳ７で誤差算出部５７は第２時刻情報で第１時刻情報域５２ａの第１時刻Ｔ１を書き換える。その後、誤差算出部５７の処理動作はステップＳ８に移行し、誤差算出部５７からパルスカウンタ４９にリセット信号が送られる。パルスカウンタ４９はリセット信号の受信に応じてパルスのカウントを開始する。こうして計時部４８で計時は開始される。
【００４７】
ステップＳ９で「タイマー設定」ボタン３５ｇに割り当てられた指示信号が確認されると、処理動作はステップＳ１０に移行する。図６に示されるように、カウント値決定部５６は図５で算出した補正値に応じて時間のカウント値（カウントアップの上限値）を決定する。決定にあたってカウント値決定部５６はステップＳ１１で記憶装置５２の誤差記憶域５２ｃを確認する。誤差記憶域５２ｃに補正値が記憶されていれば、ステップＳ１２でカウント値決定部５６は誤差比率の範囲を判定する。誤差比率が±１％以上であれば、カウント値決定部５６はステップＳ１３で残り時間（受信処理部５４がリモコン３３の指示信号から生成した時刻情報）に誤差比率を乗算し時間のカウント値を更新する。ステップＳ１４で、更新されたカウント値はプリセット値としてパルスカウンタ４９に送られる。なお、パルスカウンタ４９は、パルスのカウント値がプリセット値に達した時点でカウントアップ信号を出力する。動作制御部５５はカウントアップ信号の受信に応じて「冷房」「暖房」「停止」といった指定の動作を実施する。
【００４８】
誤差記憶域５２ｃに補正値が記憶されていなければ、ステップＳ１５で、カウント値決定部５６は残り時間（指示信号から生成した時刻情報）をそのまま時間のカウント値に設定する。設定されたカウント値は、ステップＳ１４でプリセット値としてパルスカウンタ４９に送られる。誤差比率が±１％に収まると、カウント値決定部５６は同様にステップＳ１５で時間のカウント値を設定する。設定されたカウント値は、ステップＳ１４でプリセット値としてパルスカウンタ４９に送られる。こうしてカウント値に応じて「冷房」「暖房」「停止」といった指定の動作は予約される。
【００４９】
カウント値決定部５６、計時部４８および記憶装置５２はタイマー装置を形成する。タイマー装置ではゼロクロス検出部５１が生成するパルスに比べて高い精度を有する発振器４４のパルスに従って第１時刻Ｔ１および第２時刻Ｔ２は特定される。第１時刻Ｔ１および第２時刻Ｔ２の間にゼロクロス検出部５１が生成するパルスに基づき計時部４８は時間を計時する。ゼロクロス検出部５１が生成するパルスの精度は発振器４４のそれよりも低いことから、計時された時刻は第１時刻Ｔ１および第２時刻Ｔ２の時間差からずれる。こうして計時部４８の誤差は特定される。誤差比率は算出される。誤差比率に応じて計時部４８の計時は補正される。その結果、計時時間の精度は高められる。
【００５０】
一般に、「タイマー設定」ボタン３５ｇで空気調和機１１の動作が予約されると、その後に予約された動作が実施されるまでに再びリモコン３３が操作されることはない。リモコン３３が操作されない限り、送信モジュール３８の赤外線ＬＥＤが室内機１２の受信モジュール３１に向けられることは滅多にない。本実施形態では、誤差比率（補正値）はリモコン３３から指示信号を受信する毎に記憶装置５２に記憶されることから、計時が開始された後にリモコン３３から指示信号を受信する必要はない。したがって、計時が開始された後にタイマー装置と発振器４４との通信がなされなくても、時間は精度よく計時されることができる。
【００５１】
本実施形態では、発振器４４は時刻表示にあたって水晶発振子を利用する。水晶発振子は高い精度で時刻を特定する。
【００５２】
以上の実施形態ではリモコン３３の時刻信号で秒単位の時刻が特定される。その他、時刻信号ではマイクロ秒単位や分単位で時刻が特定されてもよい。あるいは、時刻信号では時刻に代えてパルス数が特定されてもよい。この場合には、制御回路４７の誤差算出部５７で時間の誤差が特定される際に、算出にパルス数が用いられてもよい。計時部４８はカウント値の設定にあたってパルス数を用いればよい。
【符号の説明】
【００５３】
１１  電化製品（空気調和機）、３１  受信部（受信モジュール）、４４  第１発振器、４７  制御部（制御回路）、４８  計時部、５１  ゼロクロス検出部、５２  記憶部（記憶装置）。
【図１】
2016183872.tif 000003
【図２】
2016183872.tif 000004
【図４】
2016183872.tif 000005
【図５】
2016183872.tif 000006
【図６】
2016183872.tif 000007
【図３】
2016183872.tif 000008